(57)【要約】【課題】  フレーミングアシスト機能においてズーム戻り位置を変更する際に、被写体を捉えることができる大きさでズーム戻り位置の画角を明示して、操作性を向上させる。【解決手段】  撮像装置は、ユーザがズーム位置の変更を指示するための第１の操作部と、第１の操作部を介した第１の操作に応じてズーム位置を広角側に変更し、第１の操作部を介した第２の操作に応じてズーム位置を記憶手段によって記憶されているズーム戻り位置に変更する制御手段と、撮影画像の表示に重畳して戻り枠の表示を行う表示部と、ズーム戻り位置の変更を指示するための第２の操作部とを有する。第２の操作部の操作が行われた場合、制御手段は、記憶手段に記憶されたズーム戻り位置を更新するとともに、表示部への戻り枠の表示を更新する。第２の操作部を介して指示された戻り枠の表示の大きさに応じて、制御手段は、ズーム戻り位置の更新を制限する。【選択図】  図２
2014021380.tif 000002
【特許請求の範囲】
【請求項１】
ユーザがズーム位置の変更を指示するための第１の操作部と、
前記第１の操作部を介した第１の操作に応じてズーム位置を広角側に変更し、前記第１の操作部を介した第２の操作に応じてズーム位置を記憶手段によって記憶されている第１のズーム位置に変更する制御手段と、
撮影画像の表示に重畳して前記第１のズーム位置の画角を示す表示を行う表示部と、
前記第１のズーム位置の変更を指示するための第２の操作部とを有する撮像装置であって、
前記第２の操作部の操作が行われた場合、前記制御手段は、前記記憶手段に記憶された前記第１のズーム位置を更新するとともに、前記表示部への前記第１のズーム位置の画角を示す表示を更新し、
前記第２の操作部を介して指示された前記第１のズーム位置の画角を示す表示の大きさに応じて、前記制御手段は、前記第１のズーム位置の更新を制限することを特徴とする撮像装置。
【請求項２】
前記第２の操作部を介して指示された前記第１のズーム位置の画角を示す表示の大きさが第１の所定値より小さい場合、前記制御手段は、前記第１のズーム位置の更新を制限することを特徴とする請求項１に記載の撮像装置。
【請求項３】
前記第２の操作部を介して指示された前記第１のズーム位置のズーム倍率が第２の所定値より低い場合、前記制御手段は、前記第１のズーム位置の更新を制限することを特徴とする請求項１又は２に記載の撮像装置。
【請求項４】
前記第２の所定値は、前記第１の操作に応じて変更されたズーム位置のズーム倍率であることを特徴とする請求項３に記載の撮像装置。
【請求項５】
前記第２の操作部を介して指示された前記第１のズーム位置の画角を示す表示の大きさが前記第１の所定値より小さい場合、前記制御手段は、前記第１のズーム位置を更新しないことを特徴とする請求項２乃至４のいずれか１項に記載の撮像装置。
【請求項６】
前記第２の操作部を介して指示された前記第１のズーム位置のズーム倍率が前記第２の所定値より低い場合、前記制御手段は、前記第１のズーム位置を更新しないことを特徴とする請求項３乃至５のいずれか１項に記載の撮像装置。
【請求項７】
前記第２の操作部を介して指示された前記第１のズーム位置の画角を示す表示が前記第１の所定値より小さい場合、前記制御手段は、第３の操作が行われれば前記第１のズーム位置を更新し、当該第３の操作が行われなければ前記第１のズーム位置を更新しないことを特徴とする請求項２乃至６のいずれか１項に記載の撮像装置。
【請求項８】
前記第３の操作は、前記第２の操作部を望遠側に第１の所定時間以上継続して操作することであることを特徴とする請求項７に記載の撮像装置。
【請求項９】
前記第２の操作部を介して指示された前記第１のズーム位置のズーム倍率が前記第２の所定値より低い場合であって、第４の操作が行われた場合、前記制御手段は、ズーム位置を広角側に移動することを特徴とする請求項３乃至８のいずれか１項に記載の撮像装置。
【請求項１０】
前記第２の操作部を介して指示された前記第１のズーム位置のズーム倍率が前記第２の所定値より低い場合であって、前記第４の操作が行われた場合、前記制御手段は、さらに前記第１のズーム位置を更新することを特徴とする請求項９に記載の撮像装置。
【請求項１１】
前記第４の操作は、前記第２の操作部を広角側に第２の所定時間以上継続して操作することであることを特徴とする請求項９又は１０に記載の撮像装置。
【請求項１２】
前記第１の所定値は、被写体の形状又は大きさに応じて設定可能であることを特徴とする請求項２乃至１１のいずれか１項に記載の撮像装置。
【請求項１３】
前記第１の所定値は、光学ズーム領域の望遠端のズーム位置に相当することを特徴とする請求項２乃至１１のいずれか１項に記載の撮像装置。
【請求項１４】
ユーザがズーム位置の変更を指示するための第１の操作部と第２の操作部を有する撮像装置の制御方法であって、
前記第１の操作部を介した第１の操作に応じてズーム位置を広角側に変更するステップと、
前記第１の操作部を介した第２の操作に応じてズーム位置を記憶手段によって記憶されている第１のズーム位置に変更するステップと、
撮影画像の表示に重畳して前記第１のズーム位置の画角を示す表示を行うステップと、
前記第２の操作部の操作に応じて前記第１のズーム位置を変更するステップと、
前記第２の操作部の操作が行われた場合、前記記憶手段に記憶された前記第１のズーム位置を更新するとともに、前記第１のズーム位置の画角を示す表示を更新するステップとを有し、
前記第２の操作部を介して指示された前記第１のズーム位置の画角を示す表示の大きさに応じて、前記第１のズーム位置の更新を制限することを特徴とする撮像装置の制御方法。
【発明の詳細な説明】
【技術分野】
【０００１】
本発明は、撮像装置に関し、特にズーム機能を備える撮像装置に関するものである。
【背景技術】
【０００２】
近年、デジタルカメラ等の撮像装置の高倍率化が進んでいる。高倍率のズーム機能を備える撮像装置では、望遠状態での画角合わせの際、被写体の僅かな移動でフレームアウトが起こり得る。また、カメラを構えた撮影者が行う一寸したパンニング操作であっても画角の範囲が大きく変化してしまう。このように、望遠状態では、動体である被写体を所望の画角にフレーミングすることが困難である。そこで、被写体が画角外に外れた場合に被写体を再び画角内に入れるための機能が提案されている。例えば、被写体が画角外に外れた際に特定の操作部材を押下することで、所定量だけ広角側にズームを駆動する機能が提案されている。広角側にズームを駆動することで画角が広くなるため、見失った被写体を探しやすくなる。被写体を発見したら、画角の中心に被写体がくるようにカメラを移動させ、押下していた操作部材を解放する。すると、ズームが望遠側に駆動され、元の画角に戻る。この機能を以下フレーミングアシストと呼び、フレーミングアシストを行うための操作部材をフレーミングアシストボタンと呼ぶ。
【０００３】
ここで、例えばフレーミングアシストボタンを押して広角側にズームアウトした状態で被写体が前後に移動した場合を考える。見失った被写体を発見したら、フレーミングアシストボタンを離すことでズームが元の望遠側の画角に戻るが、このとき被写体の大きさが変わっているため、ズームレバーを操作して画角を決め直す必要がある。そのため、無駄なズーム移動が必要になるだけでなく、望遠側でズーム操作を行うことにより、再び被写体が画角外に外れてしまうおそれもある。
【０００４】
これに対して、特許文献１では、フレーミングアシストボタンを押して広角側にズームアウトした状態でさらにズームレバーを操作することで、ズーム戻り位置を変更することが可能な構成が開示されている。
【先行技術文献】
【特許文献】
【０００５】
【特許文献１】特開２０１２−０６０５９５号公報
【発明の概要】
【発明が解決しようとする課題】
【０００６】
しかしながら、特許文献１では、ズーム戻り位置を変更する際に、ズーム戻り位置の画角を示す戻り枠の表示サイズが小さすぎると、枠内に被写体を捉えることが困難になる。
【０００７】
そこで、本発明は、フレーミングアシスト機能においてズーム戻り位置を変更する際に、被写体を捉えることができる大きさでズーム戻り位置の画角を明示して、操作性を向上させることを目的とする。
【課題を解決するための手段】
【０００８】
上記目的を達成するために、第１の本発明は、ユーザがズーム位置の変更を指示するための第１の操作部と、前記第１の操作部を介した第１の操作に応じてズーム位置を広角側に変更し、前記第１の操作部を介した第２の操作に応じてズーム位置を記憶手段によって記憶されている第１のズーム位置に変更する制御手段と、撮影画像の表示に重畳して前記第１のズーム位置の画角を示す表示を行う表示部と、前記第１のズーム位置の変更を指示するための第２の操作部とを有する撮像装置であって、前記第２の操作部の操作が行われた場合、前記制御手段は、前記記憶手段に記憶された前記第１のズーム位置を更新するとともに、前記表示部への前記第１のズーム位置の画角を示す表示を更新し、前記第２の操作部を介して指示された前記第１のズーム位置の画角を示す表示の大きさに応じて、前記制御手段は、前記第１のズーム位置の更新を制限することを特徴とする。
【０００９】
第２の本発明は、ユーザがズーム位置の変更を指示するための第１の操作部と第２の操作部を有する撮像装置の制御方法であって、前記第１の操作部を介した第１の操作に応じてズーム位置を広角側に変更するステップと、前記第１の操作部を介した第２の操作に応じてズーム位置を記憶手段によって記憶されている第１のズーム位置に変更するステップと、撮影画像の表示に重畳して前記第１のズーム位置の画角を示す表示を行うステップと、前記第２の操作部の操作に応じて前記第１のズーム位置を変更するステップと、前記第２の操作部の操作が行われた場合、前記記憶手段に記憶された前記第１のズーム位置を更新するとともに、前記第１のズーム位置の画角を示す表示を更新するステップとを有し、前記第２の操作部を介して指示された前記第１のズーム位置の画角を示す表示の大きさに応じて、前記第１のズーム位置の更新を制限することを特徴とする。
【発明の効果】
【００１０】
本発明によれば、フレーミングアシスト機能においてズーム戻り位置を変更する際に、被写体を捉えることができる大きさでズーム戻り位置の画角を明示して、操作性を向上させることが可能になる。
【図面の簡単な説明】
【００１１】
【図１】実施例１の撮像装置を示すブロック図である。
【図２】実施例１の撮像装置におけるズーム戻り位置変更時のフローチャートである。
【図３】実施例２の撮像装置におけるズーム戻り位置変更時のフローチャートである。
【図４】実施例２の撮像装置における画面表示例である。
【図５】実施例３の撮像装置におけるズーム戻り位置変更時のフローチャートである。
【図６】実施例３の撮像装置における画面表示例である。
【発明を実施するための形態】
【００１２】
以下、図面を参照して本発明の実施例を詳細に説明する。
【実施例１】
【００１３】
以下、本発明の第１の実施例による撮像装置の動作について説明する。
【００１４】
図１は、本実施例のデジタルカメラ１００の構成を示す図である。バリア１０２は、撮影レンズ群、シャッター１０１、撮像部１０４を含む撮像系の汚れや破損を防止するための部材である。バリア１０２、ズームレンズ１０３を含む撮影レンズ群、絞り機能を備えたシャッター１０１を通過した光束は撮像部１０４に入射して被写体像を形成する。ズームレンズ１０３は光軸方向に移動することによりズーム動作を行う。撮像レンズ群には、ズームレンズ１０３の他に焦点調節を行うためのフォーカスレンズが含まれる。
【００１５】
ＣＣＤセンサやＣＭＯＳセンサ等から構成される撮像部１０４は、被写体像を光電変換して撮像信号を生成し、Ａ／Ｄ変換器１０５に出力する。Ａ／Ｄ変換器１０５は、アナログの撮像信号をデジタル信号に変換して、画像処理回路１０６に送信する。画像処理回路１０６は、デジタル変換された撮像信号に各種画像処理（画素補間処理や色変換処理など）を行う。Ａ／Ｄ変換器１０５又は画像処理回路１０６から出力された信号は、ライブビュー画像や撮影画像としてメモリ制御回路１０７を介して画像表示メモリ１１０、メモリ１１１に送信される。
【００１６】
画像表示部１０９は、画像表示メモリ１１０に書き込まれＤ／Ａ変換器でアナログ変換された表示用の画像データや、デジタルカメラ１００の操作をするための操作画面（メニュー画面）等を表示する。画像表示部１０９は、例えば、液晶ディスプレイ、有機ＥＬディスプレイ、電子ペーパー等の表示デバイスであれば何でもよい。を表示する。画像表示部１０９により撮像した画像データを逐次表示すれば、電子ファインダー機能を実現することが可能である。メモリ制御回路１０７は、画像処理回路１０６、画像表示部１０９、画像表示メモリ１１０、メモリ１１１を制御する。１１２はメモリカードやハードディスク等の記録媒体である。
【００１７】
システム制御回路１１３は、例えば、ＣＰＵ（ＭＰＵ）、メモリ（ＤＲＡＭ、ＳＲＡＭ）などから成り、デジタルカメラ１００全体を制御する。ズーム制御手段１１４は、システム制御回路１１３の指示に基づき、ズームレンズ１０３のズーム動作を制御する。電源制御手段１１５は、電池検出回路、ＤＣ−ＤＣコンバータ、通電するブロックを切り替えるスイッチ回路等により構成されており、電池の装着の有無、電池の種類、電池残量の検出を行う。検出結果及びシステム制御回路１１３の指示に基づいて、電源制御手段１１５は、ＤＣ−ＤＣコンバータを制御し、必要な電圧を必要な期間、記録媒体を含む各部へ供給する。電源手段１１６は、アルカリ電池やリチウム電池等の一次電池やＮｉＣｄ電池やＮｉＭＨ電池、Ｌｉ電池等の二次電池、ＡＣアダプター等からなる。
【００１８】
メモリ１１７は、システム制御回路１１３の動作用の定数、変数、プログラム等を記憶する。不揮発性メモリ１１９は、電気的に消去・記録可能な不揮発性メモリであり、例えばＦｌａｓｈＲＯＭ等が用いられる。
【００１９】
操作部１２０は、各種操作を入力するためのボタンやカーソルキー、タッチパネル等から成り、通常のズーム操作を行うためのズームレバー（第２の操作部）も含まれる。ユーザにより操作部１２０が操作されると、システム制御回路１１３に操作信号が送信される。
【００２０】
第１の操作部としてのフレーミングアシストボタン（ＦＡボタン）１２１は、背景技術で説明したフレーミングアシストを実行するためのボタンである。ＦＡボタンが押下されると、システム制御回路１１３は、現在のズーム位置をメモリ１１７に記憶すると共に、ズーム位置を広角側へ移動させるようズーム制御手段１１４に指示する。また、記憶したズーム位置（ズーム戻り位置）を示す戻り枠を、画像表示部１０９を用いて画像に重畳表示する。ＦＡボタンの押下に伴って移動されるズーム位置は、現在のズーム倍率をもとに求められる。ユーザは、ＦＡボタンを押下した状態においてズームレバーを操作することにより、ズーム戻り位置を変更することができる。そして、ＦＡボタン１２１が離されると、システム制御回路１１３は、記憶したズーム戻り位置にズーム位置を移動するズーム駆動手段１１４に指示する。
【００２１】
シャッタースイッチＳＷ１＿１２３は、不図示のシャッターボタンを半押しすることでＯＮとなり、オートフォーカス処理、自動露出処理、オートホワイトバランス処理、フラッシュプリ発光処理等の動作開始を指示する。シャッタースイッチＳＷ２＿１２２は、不図示のシャッターボタンを全押しすることでＯＮとなり、画像データの露光処理、現像処理、記録処理など一連の撮影処理の動作開始を指示する。また動画撮影の場合は動画撮影の開始・停止を指示する。
【００２２】
次に、図２を参照して本実施例の動作を説明する。図２は、本実施例におけるデジタルカメラのフレーミングアシスト動作を示すフローチャートである。画像表示部１０９を見ながら撮影画像の画角を調整している際に被写体が画角外に外れた場合、ユーザはＦＡボタン１２１を押すことでフレーミングアシストを開始する。
【００２３】
図２の制御は、ＦＡボタン１２１が押された（第１の操作）ことにより、システム制御回路１１３が現在のズーム位置をズーム戻り位置（第１のズーム位置）として記憶すると共に、ズーム位置を広角側へ所定倍率移動させた状態からスタートする。このとき、ズーム戻り位置を示す戻り枠が画像表示部１０９に表示された状態である。広角側へ移動させる所定倍率は、ユーザが予め設定しておくことができる。ここで、広角側へ移動させた後のズーム位置をズームアウト位置と呼ぶ。
【００２４】
Ｓ２００では、システム制御回路１１３は、ＦＡボタン１２１が解放された（第２の操作）かどうかを判定する。すなわち、ズーム戻り位置にズーム位置を移動させる操作が行われたかどうかを判定する。ＦＡボタン１２１が解放された場合はＳ２０７へ進み、解放されていない場合はＳ２０１へ進む。
【００２５】
Ｓ２０７では、システム制御回路１１３は、記憶したズーム戻り位置にズーム位置を移動させ、フレーミングアシスト動作を終了する。
【００２６】
一方、Ｓ２０１では、システム制御回路１１３は、ズームレバーが操作されたかどうかを判定する。すなわち、ズーム戻り位置を変更させる操作が行われたかどうかを判定する。ズームレバーが操作された場合はＳ２０２へ進み、操作されていない場合はＳ２００へ戻る。
【００２７】
Ｓ２０２では、システム制御回路１１３は、変更後のズーム戻り位置と戻り枠のサイズを計算し、Ｓ２０３へ進む。ここでは、ズーム戻り位置及び戻り枠のサイズは更新しない。
【００２８】
Ｓ２０３では、システム制御回路１１３は、Ｓ２０２で計算した戻り枠のサイズが所定の大きさより大きいかどうかを判定する。すなわち、ズーム戻り位置のズーム倍率が第１の所定値より高いかどうかを判定する。戻り枠のサイズが所定の大きさより大きくない場合は、望遠側の変更可能範囲を超えたと判断し、ズーム戻り位置及び戻り枠サイズを更新せず、Ｓ２００へ戻る。つまり、ズーム戻り位置の更新を制限する。一方、Ｓ２０３で戻り枠サイズが所定の大きさより大きい場合、望遠側の変更可能範囲内であると判断し、Ｓ２０４へ進む。
【００２９】
ここで、上記所定の大きさは、予め決められた値でも、ユーザが任意に設定できる値でもよい。例えば、光学ズーム領域の望遠端のズーム位置に相当する値にしてもよい。また、被写体の形状や大きさを検出する手段を設け、被写体の形状や大きさに基づいて設定するようにしてもよい。
【００３０】
Ｓ２０４では、システム制御回路１１３は、Ｓ２０２で計算したズーム戻り位置がズームアウト位置よりも望遠側かどうかを判定する。すなわち、ズーム戻り位置のズーム倍率が第２の所定値より低いかどうかを判定する。ズーム戻り位置がズームアウト位置より望遠側でなければ、広角側の変更可能範囲を超えたと判断し、ズーム戻り位置及び戻り枠サイズを更新せず、Ｓ２００へ戻る。つまり、ズーム戻り位置の更新を制限する。一方、Ｓ２０４でズーム戻り位置がズームアウト位置よりも望遠側であれば、広角側の変更可能範囲内であると判断し、Ｓ２０５へ進む。
【００３１】
Ｓ２０５では、システム制御回路１１３は、ＦＡボタン１２１を押した際に記憶したズーム戻り位置を、Ｓ２０２で計算したズーム戻り位置に更新し、Ｓ２０６へ進む。
【００３２】
Ｓ２０６では、システム制御回路１１３は、戻り枠のサイズをＳ２０２で計算した戻り枠のサイズに更新し、更新したサイズの戻り枠を画像表示部１０９に表示してＳ２００へ進む。
【００３３】
本実施例では、システム制御回路１１３は、ズームレバーの操作に応じて戻り枠のサイズを変更するが、Ｓ２０２で計算した戻り枠のサイズが所定の大きさより小さい場合（Ｓ２０３でＮｏの場合）は、ズーム戻り位置と戻り枠のサイズ変更を制限する。なぜなら、計算した戻り枠のサイズが小さすぎる場合には、被写体を戻り枠内に捉えにくくなるためである。特に、ユーザが画角を調整している際に誤ってズームレバーを望遠側に操作してしまった場合などは、被写体を捉えにくくなるほど戻り枠を小さくしてしまうとユーザにとって不便である。
【００３４】
なお、フレーミングアシスト機能ではなく通常のズーム駆動で望遠側にズーム位置を移動する際は、これ以上望遠側にズーム駆動すると画像劣化する領域（セーフティズーム領域）に達すると一度駆動に制限がかかる。そこで、再度ズーム操作をすると、セーフティズーム領域を超えたズーム駆動を行う。一方、フレーミングアシスト機能で望遠側にズーム位置を移動する際は、セーフティズーム領域に関わらず、指定・変更したズーム戻り位置までズーム駆動する。
【００３５】
以上説明したように、本実施例によれば、ズーム戻り位置の変更可能範囲を設定することにより、被写体を捉えることができる大きさでズーム戻り位置の画角を明示でき、操作性を向上させることができる。
【実施例２】
【００３６】
次に、図３を参照して本実施例の動作を説明する。図３は、本実施例におけるデジタルカメラのフレーミングアシスト動作を示すフローチャートである。画像表示部１０９を見ながら撮影画像の画角を調整している際に被写体が画角外に外れた場合、ユーザはＦＡボタン１２１を押すことでフレーミングアシストを開始する。
【００３７】
図３の制御は、ＦＡボタン１２１が押されたことにより、システム制御回路１１３が現在のズーム位置をズーム戻り位置として記憶すると共に、ズーム位置を広角側へ所定倍率移動させ、ズーム戻り位置を示す戻り枠を画像表示部１０９に表示させた状態からスタートする。広角側へ移動させる所定倍率は、ユーザが予め設定しておくことができる。ここで、広角側へ移動させた後のズーム位置をズームアウト位置と呼ぶ。
【００３８】
Ｓ３００では、システム制御回路１１３は、ＦＡボタン１２１が解放されたかどうかを判定する。すなわち、ズーム戻り位置にズーム位置を移動させる操作が行われたかどうかを判定する。ＦＡボタン１２１が解放された場合はＳ３０７へ進み、解放されていない場合はＳ３０１へ進む。
【００３９】
Ｓ３０７では、システム制御回路１１３は、記憶したズーム戻り位置にズーム位置を移動させ、フレーミングアシスト動作を終了する。
【００４０】
一方、Ｓ３０１では、システム制御回路１１３は、ズームレバーが操作されたかどうかを判定する。すなわち、ズーム戻り位置を変更させる操作が行われたかどうかを判定する。ズームレバーが操作された場合はＳ３０２へ進み、操作されていない場合はＳ３００へ戻る。
【００４１】
Ｓ３０２では、システム制御回路１１３は、変更後のズーム戻り位置と戻り枠のサイズを計算し、Ｓ３０３へ進む。ここでは、ズーム戻り位置及び戻り枠のサイズは更新しない。
【００４２】
Ｓ３０３では、システム制御回路１１３は、Ｓ３０２で計算した戻り枠のサイズが所定の大きさより大きいかどうかを判定する。戻り枠のサイズが所定の大きさより大きくない場合は、望遠側の変更可能範囲を超えたと判断し、Ｓ３０８へ進む。また、Ｓ３０３で戻り枠サイズが所定の大きさより大きい場合、望遠側の変更可能範囲内であると判断し、Ｓ３０４へ進む。
【００４３】
ここで、上記所定の大きさは、予め決められた値でも、ユーザが任意に設定できる値でもよい。例えば、光学ズーム領域の望遠端のズーム位置に相当する値にしてもよい。また、被写体の形状や大きさを検出する手段を設け、被写体の形状や大きさに基づいて設定するようにしてもよい。
【００４４】
Ｓ３０４では、システム制御回路１１３は、Ｓ３０２で計算したズーム戻り位置がズームアウト位置よりも望遠側かどうかの判定を行う。ズーム戻り位置がズームアウト位置より望遠側でなければ、広角側の変更可能範囲を超えたと判断し、ズーム戻り位置及び戻り枠サイズを更新せず、Ｓ３００へ戻る。また、Ｓ３０４でズーム戻り位置がズームアウト位置よりも望遠側であれば、広角側の変更可能範囲内であると判断し、Ｓ３０５へ進む。
【００４５】
Ｓ３０５では、システム制御回路１１３は、ＦＡボタン１２１を押した際に記憶したズーム戻り位置を、Ｓ３０２で計算したズーム戻り位置に更新し、Ｓ３０６へ進む。
Ｓ３０６では、システム制御回路１１３は、戻り枠のサイズをＳ３０２で計算した戻り枠のサイズに更新し、更新したサイズの戻り枠を画像表示部１０９に表示してＳ３００へ進む。
【００４６】
一方、Ｓ３０３でＮｏの場合はＳ３０８に進み、システム制御回路１１３は、所定の操作（第３の操作）が行われたかどうかを判定する。ここで、所定の操作とは、ズームレバーを望遠側に第１の所定時間以上継続して押すことである。所定の操作が行われた場合はＳ３０９へ進み、所定の操作が行われていない場合はズーム戻り位置及び戻り枠サイズの更新を行わずにＳ３００へ戻る。
【００４７】
Ｓ３０９では、システム制御回路１１３は、ＦＡボタン１２１を押した際に記憶したズーム戻り位置を、Ｓ３０２で計算したズーム戻り位置に更新し、Ｓ３１０へ進む。
Ｓ３１０では、システム制御回路１１３は、戻り枠のサイズをＳ３０２で計算した戻り枠のサイズに更新し、更新したサイズの戻り枠を画像表示部１０９に表示してＳ３１１へ進む。
【００４８】
Ｓ３１１では、システム制御回路１１３は、Ｓ３１０で更新した戻り枠内を画像表示部１０９に拡大表示してＳ３００へ戻る。
【００４９】
ここで、図４を用いて、フレーミング動作における戻り枠の表示について説明する。図４（ａ）では、ＦＡボタン１２１を押した際に広角側へズーム位置が移動し、戻り枠４１が表示された状態を示している。システム制御回路１１３は、ズームレバーの操作に応じて戻り枠のサイズを変更するが、Ｓ３０２で計算した戻り枠のサイズが所定の大きさより小さい場合（Ｓ３０３でＮｏの場合）は、ズーム戻り位置と戻り枠のサイズ変更を制限する。なぜなら、計算した戻り枠のサイズが小さすぎる場合には、被写体を戻り枠内に捉えにくくなるためである。特に、ユーザが画角を調整している際に誤ってズームレバーを望遠側に操作してしまった場合などは、被写体を捉えにくくなるほど戻り枠を小さくしてしまうとユーザにとって不便である。
【００５０】
但し、計算した戻り枠のサイズが小さくても、ズームレバーが望遠側に押され続けた場合は、ユーザが意図して望遠側にズーム戻り位置を変更しようとしている可能性が高い。そのため、本実施例では、計算した戻り枠のサイズが小さくても、ズームレバーが望遠側に第１の所定時間以上継続して押された場合（Ｓ３０８でＹｅｓの場合）は、計算したズーム戻り位置と戻り枠のサイズに変更する。この場合、戻り枠が小さく画角の調整が困難であるため、戻り枠内を拡大表示する。図４（ｂ）では、点線で示されている所定の大きさより戻り枠が小さい場合に、戻り枠４１内の拡大表示４２を行った状態を示している。なお、図４（ｂ）では、拡大表示４２が実際の戻り枠４１と重ならないように配置されているが、戻り枠４１の一部又は全部と重なってもよい。
【００５１】
以上説明したように、本実施例によれば、望遠側に枠変更可能範囲を超えてズームイン位置変更操作がされた場合でも、所定操作を行うことでズーム戻り位置を変更することができ、操作性を向上させることができる。
【００５２】
また、戻り枠のサイズが小さい場合でも、戻り枠内の画角を拡大表示するため、被写体を容易に画角内に捉えることが可能となる。
【実施例３】
【００５３】
次に、図５を参照して本実施例の動作を説明する。図５は、本実施例におけるデジタルカメラのフレーミングアシスト動作を示すフローチャートである。画像表示部２０７を見ながら撮影画像の画角を調整している際に被写体が画角外に外れた場合、ユーザはＦＡボタン１２１を押すことでフレーミングアシストを開始する。
【００５４】
図５の制御は、ＦＡボタン１２１が押されたことにより、システム制御回路１１３が現在のズーム位置をズーム戻り位置として記憶すると共に、ズーム位置を広角側へ所定倍率移動させ、ズーム戻り位置を示す戻り枠を画像表示部１０９に表示させた状態からスタートする。広角側へ移動させる所定倍率は、ユーザが予め設定しておくことができる。ここで、広角側へ移動させた後のズーム位置をズームアウト位置と呼ぶ。
【００５５】
Ｓ５００では、システム制御回路１１３は、ＦＡボタン１２１が解放されたかどうかを判定する。すなわち、ズーム戻り位置にズーム位置を移動させる操作が行われたかどうかを判定する。ＦＡボタン１２１が解放された場合はＳ５０７へ進み、解放されていない場合はＳ５０１へ進む。
【００５６】
Ｓ５０７では、システム制御回路１１３は、記憶したズーム戻り位置にズーム位置を移動させ、フレーミングアシスト動作を終了する。
【００５７】
一方、Ｓ５０１では、システム制御回路１１３は、ズームレバーが操作されたかどうかを判定する。すなわち、ズーム戻り位置を変更させる操作が行われたかどうかを判定する。ズームレバーが操作された場合はＳ５０２へ進み、操作されていない場合はＳ５００へ戻る。
【００５８】
Ｓ５０２では、システム制御回路１１３は、変更後のズーム戻り位置と戻り枠のサイズを計算し、Ｓ５０３へ進む。ここでは、ズーム戻り位置及び戻り枠のサイズは更新しない。
【００５９】
Ｓ５０３では、システム制御回路１１３は、Ｓ５０２で計算した戻り枠のサイズが所定の大きさより大きいかどうかを判定する。戻り枠のサイズが所定の大きさより大きくない場合は、望遠側の変更可能範囲を超えたと判断し、Ｓ５００へ戻る。また、Ｓ５０３で戻り枠サイズが所定の大きさより大きい場合、望遠側の変更可能範囲内であると判断し、Ｓ５０４へ進む。
【００６０】
ここで、上記所定の大きさは、予め決められた値でも、ユーザが任意に設定できる値でもよい。例えば、光学ズーム領域の望遠端のズーム位置に相当する値にしてもよい。また、被写体の形状や大きさを検出する手段を設け、被写体の形状や大きさに基づいて設定するようにしてもよい。
【００６１】
Ｓ５０４では、システム制御回路１１３は、Ｓ５０２で計算したズーム戻り位置がズームアウト位置よりも望遠側かどうかの判定を行う。ズーム戻り位置がズームアウト位置より望遠側でなければ、Ｓ５０８へ進む。また、Ｓ５０４でズーム戻り位置がズームアウト位置よりも望遠側であれば、広角側の変更可能範囲内であると判断し、Ｓ５０５へ進む。
【００６２】
Ｓ５０５では、システム制御回路１１３は、ＦＡボタン１２１を押した際に記憶したズーム戻り位置を、Ｓ５０２で計算したズーム戻り位置に更新し、Ｓ５０６へ進む。
【００６３】
Ｓ５０６では、システム制御回路１１３は、戻り枠のサイズをＳ５０２で計算した戻り枠のサイズに更新し、更新したサイズの戻り枠を画像表示部１０９に表示してＳ５００へ進む。
【００６４】
一方、Ｓ５０４でＮｏの場合はＳ５０８に進み、システム制御回路１１３は、所定の操作（第４の操作）が行われたかどうかを判定する。ここで、所定の操作とは、ズームレバーを広角側に第２の所定時間以上継続して押すことである。所定の操作が行われた場合はＳ５０９へ進み、所定の操作が行われていない場合はズーム戻り位置及び戻り枠サイズの更新を行わずにＳ５００へ戻る。
【００６５】
Ｓ５０９では、システム制御回路１１３は、現在のズーム位置を所定の倍率だけ広角側に更新し、Ｓ５００へ進む。
【００６６】
ここで、図６を用いて、フレーミング動作における戻り枠の表示について説明する。図６（ａ）では、ＦＡボタン１２１を押した際に広角側へズーム位置が移動し、戻り枠６１が表示された状態を示している。システム制御回路１１３は、ズームレバーの操作に応じて戻り枠のサイズを変更するが、Ｓ５０２で計算したズーム戻り位置が所定のズームアウト位置より望遠側の場合（Ｓ５０４でＮｏの場合）は、ズーム戻り位置と戻り枠のサイズ変更を制限する。なぜなら、計算したズーム戻り位置がズームアウト位置より広角側だと、戻り枠が画面内に収まらなくなるためである。
【００６７】
但し、計算したズーム戻り位置がズームアウト位置より広角側でも、ズームレバーが広角側に押され続けた場合は、ユーザがズームアウト位置をさらに広角側に変更したい可能性が高い。そのため、本実施例では、計算したズーム戻り位置がズームアウト位置より広角側でも、ズームレバーが広角側に第２の所定時間以上継続して押された場合（Ｓ５０８でＹｅｓの場合）は、現在のズーム位置を広角側に更新する。この場合、ズーム戻り位置は変更しない。図６（ｂ）では、図６（ａ）の状態から現在のズーム位置を広角側に更新した状態を示している。点線は、広角側に更新されたズームアウト位置を示している。ここでは、ズーム戻り位置は変更していないため、戻り枠６２は戻り枠６１と同じズーム倍率の画角を示している。
【００６８】
なお、本実施例の変形例として、図５のＳ５０９において、現在のズーム位置だけでなく、ズーム戻り位置を変更してもよい。この場合、図６（ｃ）で示すように、現在のズーム位置を広角側に更新しつつ、ズーム戻り位置も広角側に更新する。したがって、戻り枠６３は、戻り枠６１と画面上では同じ大きさに見えるが、より広角側の画角を示していることになる。
【００６９】
なお、図６（ｂ）の動作と図６（ｃ）の動作のどちらを使用するのかを予めユーザが設定可能にしてもよい。また、本実施例のＳ５０８及びＳ５０９の制御を、実施例２の図３の制御中で行ってもよい。
【００７０】
以上説明したように、本実施例によれば、望遠側／広角側に枠変更可能範囲を超えてズームイン位置変更操作がされた場合でも、所定操作を行うことで現在のズーム位置を変更し、より広角側への枠変更を可能とさせるため、操作性を向上させることができる。
【００７１】
なお、以上説明した実施例では、ズーム戻り位置変更操作をズームレバーの望遠側／広角側への押下操作、所定の操作をズームレバーの望遠側／広角側への所定時間以上の押下操作として説明したが、他の方法でも構わない。
【符号の説明】
【００７２】
１００  撮像装置
１０３  撮影レンズ
１０４  撮像部
１１３  システム制御回路
１１４  ズーム制御手段
１１７  メモリ
１２０  操作部
１２１  フレーミングアシストボタン
【図１】
2014021380.tif 000003
【図２】
2014021380.tif 000004
【図３】
2014021380.tif 000005
【図４】
2014021380.tif 000006
【図５】
2014021380.tif 000007
【図６】
2014021380.tif 000008